(57)【特許請求の範囲】
【請求項１】
側面板（１）、天面板（２）、側面板（３）、底面板（４）、糊代片（５）が折罫（１２、２３、３４、４５）を介して順次連接し、前記側面板（１）と前記糊代片（５）とを接着した断面矩形状の筒状体の上下開口部を前記天面板（２）の前記折罫（１２、２３）と直交する方向の端辺に折罫（１２３）を介して連接した上下部表面フラップ（２０）で封止した直方体形状の電子レンジ用カートン（Ａ、Ｂ）において、前記側面板（１）の前記折罫（１２）と対向する端辺の略中央部に２つの切欠（５０）と該切欠（５０）のそれぞれの先端から前記折罫（１２）側に摘み部用切込（５１）を形成して前記切欠（５０）と前記摘み部用切込（５１）とで区画された摘み部兼差込フラップ（６０）を形成し、さらに前記摘み部用切込（５１）のそれぞれの先端から互いに乖離するように前記折罫（１２）側に一定長さ延びたそれぞれの終点から前記折罫（１２、２３）に直交する方向に前記側面板（１）、前記天面板（２）、前記側面板（３）と順に延び、前記側面板（３）の前記折罫（２３）と前記折罫（３４）との中心線より前記折罫（３４）側に前記折罫（２３、３４）に平行に形成した折罫（７０）の両端部にそれぞれ収斂する開封用切目線（５２）を形成して前記開封用切目線（５２）と前記折罫（７０）とで区画された蓋兼脚板（６１）を形成すると共に、前記摘み部兼差込フラップ（６０）に対応する前記糊代片（５）に前記摘み部兼差込フラップ（６０）を係入する差込用切込（８０）を形成したことを特徴とする電子レンジ用カートン（Ａ、Ｂ）。
【請求項２】
前記折罫（４５）側の前記糊代片（５）に前記差込用切込（８０）側に開口する略コの字状の開封用切込ないし開封用半切り線からなる開封開始手段（８１）を形成したことを特徴とする請求項１記載の電子レンジ用カートン（Ａ、Ｂ）。
【請求項３】
前記底面板（４）の内面に電子レンジ発熱シートを貼設したことを特徴とする請求項１または２のいずれかに記載の電子レンジ用カートン（Ａ、Ｂ）。
【発明の詳細な説明】
【０００１】
【発明の属する技術分野】
本発明は、店頭ないし家庭において電子レンジで加熱調理して喫食する冷凍食品、たとえば、冷凍のフライドポテト、ピザ、たこ焼きなどを収納する電子レンジ用カートンに関し、さらに詳しくは、電子レンジで効率よく加熱調理することができる電子レンジ用カートンに関する。
【０００２】
【従来の技術】
従来、店頭ないし家庭において電子レンジで加熱調理して喫食する冷凍食品、たとえば、冷凍のフライドポテト、ピザ、たこ焼きなどを収納する電子レンジ用カートンは、図５（ａ）に例示するような直方体形状のカートンαが多用され、そのまま電子レンジで加熱調理する使用態様が一般的である。
【０００３】
そして、このような直方体形状のカートンαは、図示はしないが天面板２’等に複数の蒸気抜き穴を設けた形態ないし図５（ａ）に示すような蒸気抜き穴を設けていない形態等からなり、複数の蒸気抜き穴を設けた形態のものは、そのまま電子レンジで加熱調理され、また蒸気抜き穴を設けていない形態のものは、図５（ｂ）に示すように天面板２’と糊代片５’（糊代片５’は側面板１’内面に糊付けされている）との境界線上に設けたミシン目罫等の開封手段９０を爪掛部９１から切り取って天面板２’を開封して電子レンジで加熱調理される。
【０００４】
上記いずれの場合も、カートンαは電子レンジ内に装備されたターンテーブル上に直置きされて加熱調理されるが、このようにターンテーブルに直置きした場合、電子レンジの特性から加熱調理する冷凍食品に加熱ムラが生じるといった問題や加熱効率が悪いといった問題を抱えていた（電子レンジの特性からすると、ターンテーブル上に直置きするのではなく、ターンテーブルから浮かせて載置できれば、加熱ムラを解消することができ、加熱効率を向上させることができる）。
【０００５】
また、電子レンジに供する冷凍食品の種類によっては、見た目、あるいは、食味や食感を向上させる目的で、焼き目や焦げ目を付ける電子レンジ発熱シートをカートンの底面等に貼設した電子レンジ発熱シート付きカートンが用いられている。このような電子レンジ発熱シートを底面等に貼設した電子レンジ発熱シート付きカートンを電子レンジ内に装備されたターンテーブルに直置きして加熱調理すると、冷凍食品が加熱調理されると共に電子レンジ発熱シートが加熱されて冷凍食品表面に焼き目や焦げ目を付けるが、同時にカートン底面も加熱することになり、酷いときには、カートンの表面に購買者への訴求力を高めるために設けられている美麗な絵柄や使用方法等の文字からなる絵柄印刷がターンテーブルに転移するといった問題を抱えていた。特に、カートンがポリエチレン／紙／ポリエチレンからなる場合には、絵柄印刷のターンテーブルへの転移は一層顕著に現出していた。
【０００６】
【発明が解決しようとする課題】
そこで本発明は、上記問題点に鑑みてなされたものであって、加熱ムラを生じることがなく、また、加熱効率を向上させることができる電子レンジ用カートンを提供することを目的とする。
【０００７】
【課題を解決するための手段】
本発明者は、上記目的を達成するために、請求項１記載の発明は、側面板１、天面板２、側面板３、底面板４、糊代片５が折罫１２、２３、３４、４５を介して順次連接し、前記側面板１と前記糊代片５とを接着した断面矩形状の筒状体の上下開口部を前記天面板２の前記折罫１２、２３と直交する方向の端辺に折罫１２３を介して連接した上下部表面フラップ２０で封止した直方体形状の電子レンジ用カートンＡ、Ｂにおいて、前記側面板１の前記折罫１２と対向する端辺の略中央部に２つの切欠５０と該切欠５０のそれぞれの先端から前記折罫１２側に摘み部用切込５１を形成して前記切欠５０と前記摘み部用切込５１とで区画された摘み部兼差込フラップ６０を形成し、さらに前記摘み部用切込５１のそれぞれの先端から互いに乖離するように前記折罫１２側に一定長さ延びたそれぞれの終点から前記折罫１２、２３に直交する方向に前記側面板１、前記天面板２、前記側面板３と順に延び、前記側面板３の前記折罫２３と前記折罫３４との中心線より前記折罫３４側に前記折罫２３、３４に平行に形成した折罫７０の両端部にそれぞれ収斂する開封用切目線５２を形成して前記開封用切目線５２と前記折罫７０とで区画された蓋兼脚板６１を形成すると共に、前記摘み部兼差込フラップ６０に対応する前記糊代片５に前記摘み部兼差込フラップ６０を係入する差込用切込８０を形成したことを特徴とするものである。このように構成することにより、摘み部兼差込フラップ６０を手指で容易に摘むことができ、摘んだ前記摘み部兼差込フラップ６０を天面板２から側面板３側へと継続して引き上げることにより、摘み部用切込５１から開封用切目線５２に沿って蓋兼脚板６１を開封することができると共に大きな開口を得ることができ、さらに前記蓋兼脚板６１を前記側面板３に形成した折罫７０で底面板４側に折り返すと共に前記摘み部兼差込フラップ６０を差込用切込８０に係入することにより、前記底面板４を浮かした状態で電子レンジに装備したターンテーブルに載置することができる。これにより、加熱ムラを生じることなく、また、加熱効率を向上させることができる。
【０００８】
また、電子レンジ用カートンＡ、Ｂにおいて、前記折罫７０が前記折罫２３と前記折罫３４との中心線より前記折罫３４側に形成されていることにより、一層確実に底面板４を浮かせた状態でターンテーブルに載置することができる。
【０００９】
また、請求項２記載の発明は、請求項１記載の電子レンジ用カートンＡ、Ｂにおいて、前記折罫４５側の前記糊代片５に前記差込用切込８０側に開口する略コの字状の開封用切込ないし開封用半切り線からなる開封開始手段８１を形成したことを特徴とするものである。このように開封開始手段８１を設けた構成とすることにより、摘み部兼差込フラップ６０を手指で摘んで引き上げることにより、前記開封開始手段８１と差込用切込８０とで区画された部分の全部ないし前記糊代片５の前記側面板１側の表層が紙層間で前記摘み部兼差込フラップ６０と一体となって切り取られるないし剥がれるため、一層スムーズで確実な開封を約束することができる。
【００１０】
また、請求項３記載の発明は、請求項１または２のいずれかに記載の電子レンジ用カートンＡ、Ｂにおいて、前記底面板４の内面に電子レンジ発熱シートを貼設したことを特徴とするものである。このように構成することにより、焼き目や焦げ目を付けることができると共に、カートンの表面に購買者への訴求力を高めるために設けられている美麗な絵柄や使用方法等の文字からなる絵柄印刷がターンテーブルに転移することを防止することができる。
【００１１】
【発明の実施の形態】
上記の本発明について、図面等を用いて以下に詳述する。
図１は本発明にかかる電子レンジ用カートンの一実施例を示す一部切欠斜視図、図２は図１の展開図、図３は本発明にかかる電子レンジ用カートンの他の実施例を示す図２に対応する要部平面図、図４は本発明にかかる電子レンジ用カートンの使用状態を説明する斜視図、図５は従来の電子レンジ用カートンを説明する斜視図であり、図中のＡ，Ｂは電子レンジ用カートン、Ａ’，Ｂ’はブランク板、１，３は側面板、２は天面板、４は底面板、５は糊代片、１２，２３，３４，４５，７０，１２３，２３４，３４５は折罫、２０は上下部表面フラップ、３０は上下部裏面フラップ、４０は上下部折込みフラップ、５０は切欠、５１は摘み部用切込、５２は開封用切目線、６０は摘み部兼差込フラップ、８０は差込用切込、８１は開封開始手段をそれぞれ示す。
【００１２】
図１は本発明にかかる電子レンジ用カートンの一実施例を示す一部切欠斜視図であって、電子レンジ用カートンＡは紙ないし紙を主体とする基材からなり、側面板１、天面板２、側面板３、底面板４、糊代片５が折罫１２、２３、３４、４５を介して順次連接し、前記側面板１と前記糊代片５とを接着した断面矩形状の筒状体の上下開口部を前記天面板２の前記折罫１２、２３と直交する方向の端辺に折罫１２３を介して連接した上下部表面フラップ２０で封止した直方体形状のカートンであって、前記側面板１の前記折罫１２と対向する端辺の略中央部に２つの切欠５０と該切欠５０のそれぞれの先端から前記折罫１２側に摘み部用切込５１を形成して前記切欠５０と前記摘み部用切込５１とで区画された摘み部兼差込フラップ６０を形成し、さらに前記摘み部用切込５１のそれぞれの先端から互いに乖離するように前記折罫１２側に一定長さ延びたそれぞれの終点から前記折罫１２、２３に直交する方向に前記側面板１、前記天面板２、前記側面板３と順に延び、前記側面板３において前記側面板３の略中央部に前記折罫２３、３４に平行に形成した折罫７０の両端部にそれぞれ収斂する開封用切目線５２を形成して前記開封用切目線５２と前記折罫７０とで区画された蓋兼脚板６１を形成すると共に、前記摘み部兼差込フラップ６０に対応する前記糊代片５に前記摘み部兼差込フラップ６０を係入する差込用切込８０を形成したものである。なお、前記切欠５０は図１に示したＶの字状に限ることはなく、Ｉの字状等の切り裂き易い適宜な形状を採ることができる。
【００１３】
図２は図１の展開図であって、電子レンジ用カートンＡは、側面板１、天面板２、側面板３、底面板４、糊代片５が折罫１２、２３、３４、４５を介して順次連接し、前記側面板１、前記天面板２、前記側面板３、前記底面板４の前記折罫１２、２３、３４、４５と直交する方向のそれぞれの端辺に折罫２３４、１２３、２３４、３４５を介して上下部折込みフラップ４０、上下部表面フラップ２０、上下部折込みフラップ４０、上下部裏面フラップ３０を連接し、そして前記側面板１の前記折罫１２と対向する端辺の略中央部に２つの切欠５０と該切欠５０のそれぞれの先端から前記折罫１２側に摘み部用切込５１を形成して前記切欠５０と前記摘み部用切込５１とで区画された摘み部兼差込フラップ６０を形成し、さらに前記摘み部用切込５１のそれぞれの先端から互いに乖離するように前記折罫１２側に一定長さ延びたそれぞれの終点から前記折罫１２、２３に直交する方向に前記側面板１、前記天面板２、前記側面板３と順に延び、前記側面板３において前記側面板３の略中央部に前記折罫２３、３４に平行に形成した折罫７０の両端部にそれぞれ収斂する開封用切目線５２を形成して前記開封用切目線５２と前記折罫７０とで区画された蓋兼脚板６１を形成すると共に、前記摘み部兼差込フラップ６０に対応する前記糊代片５に前記摘み部兼差込フラップ６０を係入する差込用切込８０を形成したブランク板Ａ’を組み立てることにより得ることができる。なお、前記側面板３に形成する前記折罫７０は、前記折罫２３と前記折罫３４との中心線より前記折罫３４側に形成するのが後述する理由により好ましい。
【００１４】
前記ブランク板Ａ’を組み立てて電子レンジ用カートンＡとするには、まず、前記ブランク板Ａ’の前記折罫３４で前記底面板４と前記糊代片５を前記天面板１上に折り重ねると共に前記側面板１を前記折罫１２で前記糊代片５上に折り重ねて前記側面板１と前記糊代片５とを接着剤〔図２上破線（ｈ）で表示〕で接着した製函品を作製し、次に、この製函品を前記折罫１２、２３、３４、４５で起函して内容物である冷凍食品を収納して後に、前記上下部折込みフラップ４０を前記折罫２３４で内側に折り曲げ、さらに前記上下部裏面フラップ３０を前記折罫３４５で内側に折り曲げると共に前記上下部表面フラップ２０を前記折罫１２３で前記上下部裏面フラップ３０上に折り重ねて前記上下部表面フラップ２０と前記上下部裏面フラップ３０とを接着剤で接着することにより、図１に示す本発明の電子レンジ用カートンＡとすることができる。なお、接着剤ｈと当接する摘み部兼差込フラップ６０面にシリコーン等を塗工するなりの弱接着処理を施してもよい。
【００１５】
図３は本発明にかかる電子レンジ用カートンの他の実施例を示す図２に対応する要部平面図であって、電子レンジ用カートンブランク板Ｂ’は前記折罫４５側の前記糊代片５に差込用切込８０側に開口する略コの字状の開封用切込からなる開封開始手段８１を形成した以外は、図２に示したブランク板Ａ’と同じであって説明は省略するが、このように略コの字状の開封用切込からなる開封開始手段８１を形成することにより、図示はしないがブランク板Ｂ’を上記したと同様に組み立てて電子レンジ用カートンＢ（図示せず）としたものを開封する際に、摘み部兼差込フラップ６０を手指で摘んで引き上げると前記摘み部兼差込フラップ６０と一体となって前記差込用切込８０と前記略コの字状の開封用切込からなる開封開始手段８１とで区画された部分が切り取られるために、一層スムーズで確実な開封を約束することができる。また、図示はしないが、前記略コの字状の開封用切込に代えて開封用半切り線からなる開封開始手段８１を前記糊代片５の前記側面板１と当接する面に形成しても、前記差込用切込８０と前記略コの字状の開封用半切り線からなる開封開始手段８１とで区画された部分が紙層間で剥がれるために、上記と同様にスムーズで確実な開封を約束することができる。当然前記開封用半切り線は紙層まで設けてある。
【００１６】
図４は本発明にかかる電子レンジ用カートンの使用状態を説明する斜視図であって、電子レンジ用カートンＡの摘み部兼差込フラップ６０を手指等で摘んで引き上げて摘み部用切込５１、開封用切目線５２に沿って引き裂いて蓋兼脚板６１を開封すると共に側面板３に形成した折罫７０で前記蓋兼脚板６１を折り返し、さらに折罫２３を逆折りして前記蓋兼脚板６１を底面板４の下側に位置させ、さらに折罫１２を逆折りすると共に前記摘み部兼差込フラップ６０を糊代片５に形成した差込用切込８０に係入した状態を示す図であって、この状態で電子レンジに装備されたターンテーブルに載置される。カートン内に収納された内容物である冷凍食品（図示せず）は前記蓋兼脚板６１で底面板４を浮かせた状態でターンテーブルに載置されるために、加熱ムラを生じることなく、また、加熱効率よく加熱調理することができる。そして、前記摘み部兼差込フラップ６０の前記摘み部用切込５１の長さ及び前記糊代片５に形成する前記差込用切込８０の折罫４５と直交する方向の位置と関係するが、前記折罫７０を前記折罫２３と前記折罫３４との中心線より前記折罫３４側に形成することにより、電子レンジ用カートンＡの底面板４を電子レンジに装備されたターンテーブルに載置した際に、ターンテーブルから確実に浮かせることができるのである。
【００１７】
また、本発明の電子レンジ用カートンの底面板４の内面に内容物である冷凍食品に焼き目や焦げ目を付けるための特公昭６０−１５５４８号、特公平４−６８７５８号等で開示されている電子レンジ発熱シートを貼設して電子レンジ発熱シート付きカートンとした場合においても、底面板４を浮かせた構成とした本発明の電子レンジ用カートンは、従来問題となっていたカートン表面に形成した絵柄印刷のターンテーブルへの転移を解消することができる。
【００１８】
【発明の効果】
本発明の電子レンジ用カートンは、今まで縷々説明したように、加熱ムラを生じることがなく、また、加熱効率を向上させることができるという優れた効果を奏するものである。また、電子レンジ発熱シートをカートンの底面板の内面に貼設して電子レンジ発熱シート付きカートンとしても、カートン表面に形成した絵柄印刷が熱によりターンテーブルへ転移することがなく、ターンテーブルを汚すことがないという効果を奏するものである。
【図面の簡単な説明】
【図１】  本発明にかかる電子レンジ用カートンの一実施例を示す一部切欠斜視図である。
【図２】  図１の展開図である。
【図３】  本発明にかかる電子レンジ用カートンの他の実施例を示す図２に対応する要部平面図である。
【図４】  本発明にかかる電子レンジ用カートンの使用状態を説明する斜視図である。
【図５】  従来の電子レンジ用カートンを説明する斜視図である。
【符号の説明】
Ａ，Ｂ                              電子レンジ用カートン
Ａ’，Ｂ’                          ブランク板
１，３                              側面板
２                                  天面板
４                                  底面板
５                                  糊代片
１２，２３，３４，４５              折罫
７０，１２３，２３４，３４５        折罫
２０                                上下部表面フラップ
３０                                上下部裏面フラップ
４０                                上下部折込みフラップ
５０                                切欠
５１                                摘み部用切込
５２                                開封用切目線
６０                                摘み部兼差込フラップ
８０                                差込用切込
８１                                開封開始手段
【図１】
0004686058.tif 000002
【図２】
0004686058.tif 000003
【図３】
0004686058.tif 000004
【図４】
0004686058.tif 000005
【図５】
0004686058.tif 000006